(57)【要約】  表示支援装置（１）は、舵角センサ（１５）を用いて車両の舵角を検出し、検出した舵角に基づいて自車後方の仮想視点の位置を変更する。そして、表示支援装置（１）は、フロントカメラ（１０）やリアカメラ（１３）などの複数のカメラを用いて撮影した画像を仮想視点から見下ろした俯瞰画像に変換し、変換した俯瞰画像に車両の位置を示す自車アイコンを重畳してディスプレイ（５０）に表示する。
2017061230.tif 000002
【特許請求の範囲】
【請求項１】
車両に設置された複数の撮影手段で撮影された画像を上空の仮想視点から見下ろした俯瞰画像に変換し、前記俯瞰画像に前記車両の位置を示す自車アイコンを重畳して表示手段に表示する表示支援装置において、
前記車両の舵角を検出する舵角センサと、
前記舵角センサによって検出された前記舵角に基づいて前記仮想視点の位置を変更する変更手段と
を備えることを特徴とする表示支援装置。
【請求項２】
前記変更手段は、前記車両が走行している走行車線から隣接する隣接車線に車線変更する場合、前記仮想視点の位置を前記隣接車線側に変更することを特徴とする請求項１に記載の表示支援装置。
【請求項３】
前記変更手段は、前記車両が走行している走行車線から隣接する隣接車線に車線変更する場合、前記仮想視点の位置を隣接車線上または前記走行車線と前記隣接車線との境界線上に変更することを特徴とする請求項１または２に記載の表示支援装置。
【請求項４】
前記俯瞰画像を加工する加工手段をさらに備え、
前記加工手段は、前記自車アイコンの上端を示す上端線と、前記自車アイコンの下端を示す下端線を前記隣接車線に重畳することを特徴とする請求項２または３に記載の表示支援装置。
【請求項５】
前記加工手段は、前記自車アイコンを透視可能な透明性を有するアイコンとして重畳することを特徴とする請求項４に記載の表示支援装置。
【請求項６】
前記加工手段は、前記自車アイコンを前記俯瞰画像の中央より上に重畳することを特徴とする請求項４または５に記載の表示支援装置。
【請求項７】
前記変更手段は、前記車両がカーブを走行中に前記カーブの外側車線から前記カーブの内側車線に車線変更する場合、前記仮想視点の位置をカーブ内側に移動させる、または前記仮想視点の視野角を前記カーブ内側に傾けることを特徴とする請求項１に記載の表示支援装置。
【請求項８】
前記車両の周辺環境を検出する周辺検出手段をさらに備え、
前記変更手段は、前記周辺検出手段によって前記車両の前方に狭路が検出された場合、前記仮想視点が前記狭路の中心に正対するように前記仮想視点の位置を変更することを特徴とする請求項１に記載の表示支援装置。
【請求項９】
前記変更手段は、前記車両が車線変更した後、前記舵角が中立に戻ってから所定時間経過後に前記仮想視点の位置を車線変更後の車線上に変更することを特徴とする請求項１に記載の表示支援装置。
【請求項１０】
車両に設置された複数の撮影手段で撮影された画像を上空の仮想視点から見下ろした俯瞰画像に変換し、前記俯瞰画像に前記車両の位置を示す自車アイコンを重畳して表示手段に表示する表示支援方法において、
前記車両の舵角を検出し、
検出した前記舵角に基づいて前記仮想視点の位置を変更することを特徴とする表示支援方法。
【発明の詳細な説明】
【技術分野】
【０００１】
本発明は、表示支援装置及び表示支援方法に関する。
【背景技術】
【０００２】
従来より、複数の車載カメラで撮影した画像を用いて仮想視点から見た合成画像を生成する技術が知られている（特許文献１）。特許文献１は、ディスプレイに合成画像を表示して、運転者に自車両の周辺状況（例えば後続車両）を通知する。
【先行技術文献】
【特許文献】
【０００３】
【特許文献１】特開２０１２−２５３４２８号公報
【発明の概要】
【発明が解決しようとする課題】
【０００４】
しかしながら、特許文献１のように、自車後方に仮想視点を設定すると運転者の操舵によって仮想視点の位置が移動する。そして、仮想視点の位置が移動すると、合成画像に表示されていた後続車両が消えてしまい、運転者が自車両の周辺状況を把握しにくくなるおそれがある。【０００５】
本発明は、上記問題に鑑みて成されたものであり、その目的は、操舵に基づいて仮想視点の位置を制御することで、運転者が自車両の周辺状況を把握することができる表示支援装置及び表示支援方法を提供することである。
【課題を解決するための手段】
【０００６】
本発明の一態様に係る表示支援装置は、車両の舵角を検出し、検出した舵角に基づいて仮想視点の位置を変更する。
【発明の効果】
【０００７】
本発明によれば、操舵に基づいて仮想視点の位置を制御することで、運転者は自車両の周辺状況を把握することができる。
【図面の簡単な説明】
【０００８】
【図１】図１は、本発明の第１実施形態に係る表示支援装置の構成図である。
【図２】図２（ａ）は、基準速度で走行する場合の仮想視点位置を説明する図である。図２（ｂ）は、基準速度より高速で走行する場合の仮想視点位置を説明する図である。図２（ｃ）は、基準速度より低速で走行する場合の仮想視点位置を説明する図である。
【図３】図３（ａ）、（ｂ）は、本発明の第１実施形態に係る表示支援装置が変更する仮想視点位置について説明する図である。
【図４】図４（ａ）〜（ｇ）は、本発明の第１実施形態に係る表示支援装置がディスプレイに表示する画像について説明する図である。
【図５】図５は、本発明の第１実施形態に係る表示支援装置の動作例を説明するフローチャートである。
【図６】図６は、本発明の第２実施形態に係る表示支援装置が変更する仮想視点位置について説明する図である。
【図７】図７は、本発明の第２実施形態に係る表示支援装置が変更する仮想視点位置について説明する他の図である。
【図８】図８は、本発明の第２実施形態に係る表示支援装置が変更する仮想視点位置について説明するさらに他の図である。
【図９】図９は、本発明の第２実施形態に係る表示支援装置の動作例を説明するフローチャートである。
【図１０】図１０は、本発明の第３実施形態に係る表示支援装置の構成図である。
【図１１】図１１（ａ）、（ｂ）は、本発明の第３実施形態に係る表示支援装置が変更する仮想視点位置について説明する図である。
【図１２】図１２は、本発明の第３実施形態に係る表示支援装置がディスプレイに表示する画像について説明する図である。
【図１３】図１３は、本発明の第３実施形態に係る表示支援装置の動作例を説明するフローチャートである。
【図１４】図１４（ａ）〜（ｃ）は、本発明の他の実施形態に係る表示支援装置がディスプレイに表示する表示例について説明する図である。
【発明を実施するための形態】
【０００９】
以下、本発明の実施形態について、図面を参照して説明する。図面の記載において同一部分には同一符号を付して説明を省略する。また、第１実施形態では自車両が直線道路を走行する場合について説明し、第２実施形態では自車両がカーブを走行する場合について説明する。
【００１０】
［第１の実施形態］
図１を参照して第１実施形態に係る表示支援装置１について説明する。図１に示すように、表示支援装置１は、フロントカメラ１０と、ライトカメラ１１と、レフトカメラ１２と、リアカメラ１３と、ナビゲーション装置１４と、舵角センサ１５と、車速センサ１６と、ウィンカースイッチ１７と、コントローラ３０と、ディスプレイ５０とを備える。
【００１１】
フロントカメラ１０、ライトカメラ１１、レフトカメラ１２、及びリアカメラ１３（撮影手段）は、ＣＣＤ（ｃｈａｒｇｅ−ｃｏｕｐｌｅｄ  ｄｅｖｉｃｅ）やＣＭＯＳ（ｃｏｍｐｌｅｍｅｎｔａｒｙ  ｍｅｔａｌ  ｏｘｉｄｅ  ｓｅｍｉｃｏｎｄｕｃｔｏｒ）などの撮像素子を有したカメラであり、それぞれ自車両の前方、右側方、左側方、後方を撮影できる位置に設置される。これらのカメラは、撮影した画像をコントローラ３０に出力する。
なお、以下の説明において、フロントカメラ１０、ライトカメラ１１、レフトカメラ１２、及びリアカメラ１３の４つカメラのことを「フロントカメラ１０など」と記載する。
【００１２】
ナビゲーション装置１４は、ＧＰＳ受信機と地図データベースを備え、乗員によって設定された目的地までの走行経路をＧＰＳ受信機によって検出された自車位置と地図データベースとを用いて算出する。ナビゲーション装置１４は、算出した走行経路をコントローラ３０に出力する。なお、地図データベースは、ナビゲーション装置１４ではなくサーバ上に記憶されていてもよい。地図データベースがサーバ上に記憶されている場合、ナビゲーション装置１４は、通信により随時地図情報を取得することができる。
【００１３】
舵角センサ１５は、自車両の舵角を検出し、検出した舵角をコントローラ３０に出力する。
【００１４】
車速センサ１６は、車輪の回転数から自車両の速度を検出し、検出した速度をコントローラ３０に出力する。
【００１５】
ウィンカースイッチ１７は、ハンドル付近に設置され、自車両が右左折する際や車線変更する際の旋回方向を検出する。ウィンカースイッチ１７は、検出した旋回方向をコントローラ３０に出力する。
【００１６】
コントローラ３０は、カメラ画像や舵角などを用いてディスプレイ５０に表示する合成画像を生成する装置であり、例えばＣＰＵ、ＲＯＭ、ＲＡＭおよびそれらを接続するデータバスと入出力インターフェースから構成されるコンピュータである。コントローラ３０は、これを機能的に捉えた場合、車線検出部３１と、仮想視点位置演算部３２と、視点変換部３３と、記憶部３４と、視点切替部３５と、合成部３６とに分類することができる。
【００１７】
車線検出部３１は、フロントカメラ１０などが撮影した画像やナビゲーション装置１４から情報を取得し、自車両が走行している走行車線（以下、単に自車線という）を含む道路上の車線を検出する。また、車線検出部３１は、車線境界線や、車線と車線以外の領域を区別する車道外側線などの区画線も検出する。
【００１８】
仮想視点位置演算部３２は、舵角センサ１５及び車速センサ１６から取得した舵角や車速を用いて、自車両を後方上空から見下ろす仮想視点の位置（以下、単に仮想視点位置という）を演算する。より詳しくは、仮想視点位置演算部３２は、車速を用いて自車両の進行方向に対する仮想視点位置を演算し、舵角を用いて自車両の車幅方向に対する仮想視点位置を演算する。なお、第１実施形態では、仮想視点位置は自車両の車幅方向に対する中心軸上に設定されるものとして説明するが、仮想視点位置はこれに限られない。
【００１９】
視点変換部３３は、記憶部３４に記憶されている変換マップを用いてフロントカメラ１０などが撮影した画像を、仮想視点から見下ろした俯瞰画像に変換する。
【００２０】
記憶部３４には、視点変換部３３が使用する変換マップや合成部３６が使用するアイコンなどが記憶されている。
【００２１】
視点切替部３５（変更手段）は、仮想視点位置演算部３２によって演算された仮想視点位置が、自車線からはみ出すか否かを判断する。そして、視点切替部３５は、判断結果に基づいて仮想視点位置を変更する。視点切替部３５の詳細な動作については後述する。
【００２２】
合成部３６（加工手段）は、視点変換部３３によって変換された俯瞰画像に対し、記憶部３４に記憶されているアイコンなどを重畳して合成画像を生成する。そして、合成部３６は、生成した合成画像をディスプレイ５０に出力する。
【００２３】
ディスプレイ５０（表示手段）は、例えばインストルメントパネルに搭載される液晶ディスプレイやナビゲーション装置１４に用いられる液晶ディスプレイであり、乗員に各種情報を表示する。
【００２４】
次に、図２（ａ）、（ｂ）、（ｃ）を参照して、仮想視点位置演算部３２が車速に応じて演算する自車両の進行方向に対する仮想視位置点について説明する。
【００２５】
まず最初に図２（ａ）を参照して、自車両が基準速度で走行する場合の仮想視点位置について説明する。基準速度とは特に限定される速度ではなく、第１実施形態では例えば５０ｋｍ／ｈとして説明する。図２（ａ）に示すように、自車両が基準速度で走行している場合、仮想視点位置演算部３２は、仮想視点位置Ｃ１を自車両から水平後方方向に５０ｍ、地面から垂直上方向に２５ｍの位置として演算する。また、仮想視点位置演算部３２は、仮想視点位置Ｃ１から自車両を見下ろしたときの視線の方向（図２（ａ）の点線）と仮想視点位置Ｃ１の高さの水平面とのなす角を３０度に設定する。
【００２６】
次に、図２（ｂ）を参照して、自車両が基準速度より高速で走行する場合、例えば７０ｋｍ／ｈで走行する場合の仮想視点位置について説明する。図２（ｂ）に示すように、自車両が高速で走行する場合、仮想視点位置演算部３２は、仮想視点位置Ｃ２を仮想視点位置Ｃ１と比較して自車両から後方に遠い位置、かつ地面から低い位置として演算する。具体的には、図２（ｂ）に示すように、仮想視点位置演算部３２は、仮想視点位置Ｃ２を自車両から水平後方方向に７０ｍ、地面から垂直上方向に１５ｍの位置として演算する。また、仮想視点位置演算部３２は、仮想視点位置Ｃ２から自車両を見下ろしたときの視線の方向（図２（ｂ）の点線）と仮想視点位置Ｃ２の高さの水平面とのなす角を１５度に設定する。このように高速の場合は図２（ｂ）に示す仮想視点位置Ｃ２を演算することにより、仮想視点位置Ｃ２から見下ろす俯瞰画像は、図２（ａ）と比較してより広い範囲の自車後方の状況を捉えることができる。これにより、後続車両が自車後方に存在する場合、運転者は後続車両の存在をいち早く知ることができる。これにより、運転者は合流や車線変更を行いやすくなる。
【００２７】
次に、図２（ｃ）を参照して、自車両が基準速度より低速で走行する場合、例えば３０ｋｍ／ｈで走行する場合の仮想視点位置について説明する。図２（ｃ）に示すように、自車両が低速で走行する場合、仮想視点位置演算部３２は、仮想視点位置Ｃ３を仮想視点位置Ｃ１と比較して自車両から後方に近い位置、かつ地面から高い位置として演算する。具体的には、図２（ｃ）に示すように、仮想視点位置演算部３２は、仮想視点位置Ｃ３を自車両から水平後方方向に３０ｍ、地面から垂直上方向に３０ｍの位置として演算する。また、仮想視点位置演算部３２は、仮想視点位置Ｃ３から自車両を見下ろしたときの視線の方向（図２（ｃ）の点線）と仮想視点位置Ｃ３の高さの水平面とのなす角を４５度に設定する。このように低速の場合は図２（ｃ）に示す仮想視点位置Ｃ３を演算することにより、仮想視点位置Ｃ３から見下ろす俯瞰画像は、図２（ａ）と比較して自車両周辺の変化具合を捉えやすくなる。これにより、後続車両が自車後方に存在する場合、運転者は後続車両との車間距離の変化を確認しやすくなる。これにより運転者は合流や車線変更を行いやすくなる。
【００２８】
なお、図２（ａ）、（ｂ）、（ｃ）に示す例では、１つの基準速度に対して、この基準速度より速いかまたは遅いかという観点から仮想視点位置を説明したが、基準速度は１つに限られない。基準速度を複数設定し（基準速度１、基準速度２、基準速度１＞基準速度２など）、車速を細分化して基準速度と対応付け、仮想視点位置を演算するようにしてもよい。
【００２９】
次に、図３（ａ）、（ｂ）を参照して、視点切替部３５が変更する仮想視点位置について説明する。
【００３０】
図３（ａ）に示す走行シーンは、２車線道路において左車線を走行している自車両が、右車線に車線変更するシーンである。図３（ａ）に示すＰ１〜Ｐ７は、自車位置である。また、図３（ａ）に示すＰ１’〜 Ｐ７’はそれぞれ、自車位置Ｐ１〜Ｐ７に対応する仮想視点位置である。なお、自車両の進行方向に対する自車両から仮想視点位置までの距離（以下、単に自車仮想視点距離という）は、自車両の速度に応じて設定されるものとする。また、各仮想視点位置から延伸する矢印は、各仮想視点の視線の方向を示す。
【００３１】
第１実施形態において、仮想視点位置は、自車両の車幅方向に対する中心軸上に存在する。このため運転者が右車線に車線変更しようとハンドルを時計回り方向に切り増しすると、自車両が自車位置Ｐ１から自車位置Ｐ２に移動する。このとき、仮想視点位置Ｐ１’は仮想視点位置Ｐ２’に移動する。このように仮想視点位置は、運転者の操舵、すなわち舵角に応じて移動することになる。より詳しくは、自車位置Ｐ１において、ハンドルは中立位置にあり、舵角は０度である。運転者が自車位置Ｐ１からハンドルを時計回り方向に切り増しすると舵角が増加する。仮想視点位置演算部３２は、増加した舵角に応じて仮想視点位置Ｐ２’を演算する。このように舵角に連動して仮想視点位置が移動する状態のことを、以下では自車固定と表現する。
【００３２】
続いて、ハンドルが切り増しされた状態で自車両が自車位置Ｐ２から自車位置Ｐ３に移動すると、仮想視点位置Ｐ３”が自車線からはみ出ることになる。このように仮想視点位置が自車線からはみ出ると、仮想視点から見下ろす俯瞰画像が捉える自車後方の情報が少なくなる。例えば、仮想視点位置が自車線からはみ出る前の俯瞰画像に表示されていた後続車両が、仮想視点位置が自車線からはみ出た後の俯瞰画像に表示されなくなる場合がある。そこで、視点切替部３５は、仮想視点位置Ｐ３”が自車線からはみ出た場合、仮想視点位置を車線変更先の右車線上に変更する。具体的には、視点切替部３５は、図３（ａ）に示すように、仮想視点位置を仮想視点位置Ｐ３”から仮想視点位置Ｐ３’に変更する。これにより、仮想視点位置Ｐ３’から見下ろす俯瞰画像は、仮想視点位置Ｐ３”から見下ろす俯瞰画像より多くの自車後方の情報を捉えることができる。
【００３３】
ここで、仮想視点位置が自車線からはみ出たか否かの判断方法について説明する。この判断は、視点切替部３５が行う。
【００３４】
図３（ａ）に示すように自車両が直線道路を走行している場合、仮想視点位置は舵角と自車仮想視点距離から一義的に求めることができる。例えば、ある舵角に対して自車仮想視点距離が長いほど、仮想視点位置は自車線から離れる。また、ある自車仮想視点距離に対して舵角が大きいほど仮想視点位置は自車線から離れる。このように舵角と自車仮想視点距離はそれぞれ、自車線から仮想視点位置までの距離との間に相関関係を有する。したがって、視点切替部３５は、予め実験やシミュレーションを通じて求めた舵角と自車線から仮想視点位置までの距離との関係を示すマップと、自車仮想視点距離と自車線から仮想視点位置までの距離との関係を示すマップとを参照して、仮想視点位置が自車線からはみ出たか否かを判断することができる。なお、このマップは記憶部３４に記憶させておくことができる。
【００３５】
再度図３（ａ）に戻って、自車両が自車位置Ｐ４、Ｐ５に進むと、仮想視点位置は、仮想視点位置Ｐ４’、Ｐ５’のように移動する。すなわち、視点切替部３５が仮想視点位置を仮想視点位置Ｐ３’に変更した後、自車両が車線を跨ぐまでは、仮想視点位置は舵角に連動せず車幅方向に対して固定されたまま、自車仮想視点距離を維持して車線変更先の右車線上を移動する。このように仮想視点位置が舵角に連動せず車幅方向に対して固定されたまま、車線上を移動する状態のことを、以下では地面固定と表現する。自車両が車線を跨ぐまで仮想視点位置を地面固定とする理由は、俯瞰画像が自車後方の情報を多く得るためである。
【００３６】
続いて、自車位置Ｐ６に示すように自車両が車線を跨ぐと、視点切替部３５は、仮想視点位置を地面固定から自車固定に切替える。これにより仮想視点位置は、仮想視点位置Ｐ５’から仮想視点位置Ｐ６’に移動する。そして、自車位置Ｐ７に示すように舵角がほぼ０度になると、仮想視点位置は、仮想視点位置Ｐ６’から仮想視点位置Ｐ７’に移動する。
【００３７】
図３（ａ）に示す例では、仮想視点位置が自車線からはみ出た場合に、仮想視点位置を車線変更先の車線上に変更したが、これに限られない。例えば、図３（ｂ）に示すように、車線変更先の車線上ではなく、車線境界線上に仮想視点位置を変更してもよい。図３（ｂ）に示すように仮想視点位置を変更した場合のディスプレイ５０に表示される俯瞰画像の一例を図４（ａ）〜（ｇ）に示す。
【００３８】
図４（ａ）〜（ｇ）に示す俯瞰画像はそれぞれ、図３（ｂ）に示す仮想視点位置Ｐ１’〜Ｐ７’から見下ろした俯瞰画像に対応する。図４（ａ）、（ｂ）に示すように、仮想視点位置が自車線がはみ出すまでは、仮想視点位置は自車固定で、すなわち舵角に連動して移動する。図４（ｃ）〜（ｅ）に示すように、仮想視点位置が自車線からはみ出た場合、自車両が車線を跨ぐまでは仮想視点位置は地面固定となり、俯瞰画像の中心に車線境界線が表示される。これにより、自車後方を広い範囲で表示することができる。右車線に後続車両が存在している場合、運転者は後続車両の存在をいち早く知ることができる。
【００３９】
続いて、図４（ｆ）、（ｇ）に示すように、自車両が車線を跨ぐと、視点切替部３５は、仮想視点位置を地面固定から自車固定に切替える。
【００４０】
なお、図３（ａ）、（ｂ）に示す例では、２車線道路を取り上げて説明したが、これに限られない。例えば、３車線道路の中央車線を走行している自車両が右車線に移動する場合、仮想視点位置が中央車線から左車線にはみ出たら仮想視点位置を右車線上に変更すればよい。また、右車線上ではなく、中央車線と右車線との車線境界線上に仮想視点位置を変更してもよい。
【００４１】
なお、自車両が車線を跨いだか否かについて、視点切替部３５は舵角を用いて判断することができる。一般に車線変更における舵角は、ハンドルの切り増しや切り戻しによって正弦波状に一周期分だけ変化する。例えば、右車線に車線変更する場合、舵角はハンドルの切り増しにより徐々に増加し、ある正のピークをとる。正のピークをとった後はハンドルの切り戻しにより、舵角は中立位置に向かって減少する。舵角は中立位置を超えて減少し、さらに、負のピークを越えた後増加し、最終的に０度となる。なお、この例において、舵角が正とは、ハンドルを時計回り方向に回転させた場合であり、舵角が負とは、ハンドルを反時計回り方向に回転にさせた場合である。舵角が減少から増加に切り替わるタイミングで車線変更が概ね完了したと推測できるため、視点切替部３５は、舵角が減少から増加に切替わったタイミングで自車両が車線を跨いだと判断することができる。また、視点切替部３５は、舵角が最終的に０度になったタイミングで自車両が車線を跨いだと判断してもよい。また、視点切替部３５はフロントカメラ１０などの画像を用いて自車両が車線を跨いだか否かを判断してもよい。
【００４２】
次に、図５に示すフローチャートを参照して、第１実施形態に係る表示支援装置１の一動作例について説明する。このフローチャートは、イグニッションスイッチがオンされたときに開始する。
【００４３】
ステップＳ１０１において、コントローラ３０は、ウィンカースイッチ１７がオンか否かを判断する。ウィンカースイッチがオンの場合（ステップＳ１０１でＹｅｓ）、処理がステップＳ１０２に進む。一方、ウィンカースイッチがオンでない場合（ステップＳ１０１でＮｏ）、コントローラ３０は待機する。
【００４４】
ステップＳ１０２において、コントローラ３０は、車速センサ１６から車速を取得する。
【００４５】
ステップＳ１０３において、仮想視点位置演算部３２は、取得した車速に基づいて自車両の進行方向に対する仮想視点位置を演算する。
【００４６】
ステップＳ１０４において、コントローラ３０は、フロントカメラ１０などの画像やナビゲーション装置１４から走行環境を取得する。具体的に、コントローラ３０は、自車両が走行する道路が直線かカーブかを判断したり、また後続車両や先行車両の有無などを取得する。ここで、第１実施形態では、自車両が走行する道路は直線であると判断されたものとして説明する。自車両が走行する道路はカーブであると判断された場合については、第２実施形態で説明する。
【００４７】
ステップＳ１０５において、仮想視点位置演算部３２は、舵角センサから舵角を取得する。
【００４８】
ステップＳ１０６において、仮想視点位置演算部３２は、取得した舵角に基づいて車幅方向に対する仮想視点位置を演算する。
【００４９】
ステップＳ１０７において、視点切替部３５は、ステップＳ１０６において演算された仮想視点位置が自車線からはみ出すか否かを判断する。仮想視点位置が自車線からはみ出す場合（ステップＳ１０７でＹｅｓ）、処理がステップＳ１０８に進む。一方、仮想視点位置が自車線からはみ出さない場合（ステップＳ１０７でＮｏ）、処理がステップＳ１０５に戻る。
【００５０】
ステップＳ１０８において、視点切替部３５は、仮想視点位置を車線変更先の車線上もしくは車線境界線上に変更する。すなわち、視点切替部３５は、仮想視点位置を自車固定から地面固定に切替える。
【００５１】
ステップＳ１０９において、視点切替部３５は、自車両が車線を跨いだか否かを判断する。自車両が車線を跨いだ場合（ステップＳ１０９でＹｅｓ）、視点切替部３５は、仮想視点位置を地面固定から自車固定に切替える。一方、自車両が車線を跨いでいない場合（ステップＳ１０９でＮｏ）、処理は待機する。
【００５２】
以上説明したように、第１実施形態に係る表示支援装置１によれば、以下の作用効果が得られる。
【００５３】
表示支援装置１は、検出した舵角に基づいて、仮想視点位置が自車線からはみ出たか否かを判断する。表示支援装置１は、仮想視点位置が自車線からはみ出たと判断した場合、仮想視点位置を変更する。このように操舵に基づいて仮想視点位置を制御することで、運転者は自車両の周辺状況を把握することができる。
【００５４】
また、表示支援装置１は、仮想視点位置が自車線からはみ出たと判断した場合、仮想視点位置を自車線に隣接する隣接車線側に変更する。もしくは、表示支援装置１は、仮想視点位置が自車線からはみ出たと判断した場合、仮想視点位置を自車線に隣接する隣接車線上、または自車線と隣接車線との車線境界線上に仮想視点位置を変更する。これにより、仮想視点から見下ろす俯瞰画像は、自車後方を広い範囲で含むことができる。これにより、車線変更先の車線に後続車両が存在している場合、運転者は後続車両の存在をディスプレイ５０上でいち早く知ることができ、合流や車線変更を行いやすくなる。
【００５５】
なお、仮想視点位置が自車固定の場合、仮想視点位置は操舵に連動して移動する。車線変更のように操舵が発生すると、ディスプレイ５０に表示される自車周辺の風景が大きく揺れ、これにより映像酔いが発生する可能性がある。第１実施形態に係る表示支援装置１は、仮想視点位置が自車線からはみ出たと判断した場合、仮想視点位置を自車線から車線変更先の車線上または自車線と車線変更先の車線との車線境界線上に仮想視点を変更する。このように、表示支援装置１は仮想視点位置を自車固定から地面固定に切替えることにより、ディスプレイ５０内に表示される自車周辺の風景の揺れを抑制でき、映像酔いを低減することができる。
【００５６】
なお、第１実施形態において、ウィンカースイッチ１７の信号が入力された場合に、舵角に基づく仮想視点位置の変更処理を開始するようにしてもよい。運転者がウィンカースイッチ１７を右側にオンするということは、右車線に車線変更するとの意思の表れである。そこで、ウィンカースイッチ１７の信号が入力された後に、舵角に基づく仮想視点位置の変更処理を開始することにより、運転者のハンドルの誤動作によって仮想視点位置が変更されるといった事態を防止することができる。
【００５７】
また、表示支援装置１は、仮想視点位置を地面固定とし、自車線に固定してもよい。この場合、表示支援装置１は、自車両が車線変更した後に、仮想視点位置を車線変更前の車線上から車線変更先の車線上に移動させることになる。仮想視点位置を移動させるタイミングは、次のように設定することができる。仮想視点位置を自車線に固定する場合、図３（ａ）に示すように、自車両が左車線を走行しているとき、仮想視点位置は仮想視点位置Ｐ１’に固定される。このとき、舵角は中立である。自車両が右車線に車線変更すると、舵角は上述したように正弦波状に変化し、最終的には図３（ａ）の自車位置Ｐ７に示すように、舵角は中立に戻る。そこで、視点切替部３５は、舵角の変化を検出し、舵角が最終的に中立に戻ってから所定時間経過後に、仮想視点位置を切替えることができる。所定時間を設ける理由は、車線変更の際にハンドルを最終的に中立に戻すタイミングに個人差があるためである。このように車線変更後、舵角が最終的に中立に戻ってから所定時間経過後に、仮想視点位置を切替えることにより、ディスプレイ５０上で自車両が移動する。これにより運転者はディスプレイ５０上で自車両を確認しやすくなる。
【００５８】
［第２実施形態］
次に、図６〜図９を参照して本発明の第２実施形態について説明する。第２実施形態に係る表示支援装置１は、前述した第１実施形態と構成は同一であり、走行シーンが相違する。第１実施形態では走行シーンとして直線道路での動作を説明したが、第２実施形態ではカーブでの動作を説明する。
【００５９】
まず図６を参照して、視点切替部３５が変更する仮想視点位置について説明する。
図６に示す走行シーンは、２車線道路のカーブにおいて右車線（外側車線）を走行している自車両が、左車線（内側車線）に車線変更するシーンである。図６に示すＰ１〜Ｐ３は、自車位置である。また、図６に示すＰ１’〜 Ｐ３’はそれぞれ、自車位置Ｐ１〜Ｐ３に対応する仮想視点位置である。また、図６に示すＲ１〜Ｒ３は、仮想視点から見下ろす俯瞰画像の視野範囲を示す。また、図６に示すＶ２は、後続車両である。
【００６０】
自車両が自車位置Ｐ１で左車線に車線変更する場合、図６に示すように、仮想視点位置Ｐ１’の視野範囲Ｒ１に後続車両Ｖ２が含まれない場合がある。そこで、視点切替部３５は、仮想視点位置Ｐ１’を仮想視点位置Ｐ１”に変更する。具体的には、視点切替部３５は、仮想視点位置Ｐ１”が仮想視点位置Ｐ１’よりカーブ内側に位置するように、かつ仮想視点位置Ｐ１’と仮想視点位置Ｐ１”との間の距離が１車線幅の長さとなるように、仮想視点位置Ｐ１’を仮想視点位置Ｐ１”に変更する。
【００６１】
一般にカーブの曲率が一定であれば、カーブでの運転において、ハンドルは所定の舵角で固定される。以下、カーブに沿って運転するための所定の舵角を、固定舵角という。カーブを走行中に車線変更しない場合、固定舵角に対する舵角の変化量はほぼゼロである。一方、図６に示すように、自車両が自車位置Ｐ１から左車線に車線変更する場合、固定舵角からさらにカーブ旋回方向にハンドルを切り増しすることになる。すなわち、固定舵角に対する舵角の変化量がカーブ旋回方向に増加することになる。視点切替部３５は、舵角の変化量を取得し、取得した変化量と予め設定された閾値とを比較する。視点切替部３５は、取得した変化量が閾値より大きいと判断した場合、仮想視点位置Ｐ１’を１車線幅分だけカーブ内側に移動させ、仮想視点位置Ｐ１”に変更する。これにより、仮想視点位置Ｐ１”の視野範囲Ｒ１’は、後続車両Ｖ２を含むことができる。
【００６２】
自車両が自車位置Ｐ１から自車位置Ｐ２に進んでも、舵角の変化量は閾値より大きい状態のため、仮想視点位置は、オフセットされた状態のまま仮想視点位置Ｐ１”から仮想視点位置Ｐ２”に移動する。これにより、仮想視点位置Ｐ２”の視野範囲Ｒ２’は、仮想視点位置Ｐ２’の視野範囲Ｒ２と比較して、後続車両Ｖ２を含みやすくなる。
【００６３】
自車両が自車位置Ｐ２から自車位置Ｐ３に進み、自車両が車線を跨いだ場合、視点切替部３５は、オフセットを解除する。これにより、自車位置Ｐ３における仮想視点は、仮想視点位置Ｐ３’となる。なお、自車両が車線を跨いだか否かの判断は、第１実施形態で説明した方法と同様の方法を適用することができる。
【００６４】
なお、図６に示す例では、仮想視点位置を１車線幅分だけ移動させたが、移動する距離は、これに限られず適宜変更することができる。また、固定舵角の角度や閾値については、道路のカーブ形状に関するデータなどを用いて実験やシミュレーションにより求めることができる。
【００６５】
また、図６に示す例では、固定舵角に対する舵角の変化量に基づいて仮想視点位置を移動させたが、これに限られない。例えば、図７に示すように、固定舵角に対する舵角の変化量に基づいて仮想視点位置Ｐ１’における仮想視点の視野角をカーブ内側に傾けてもよい。傾ける角度の大きさは、仮想視点位置Ｐ１’から延伸する接線Ｌ１が、カーブ内側の車道外側線に接するような大きさに設定することができる。これにより、仮想視点位置Ｐ１’の視野範囲Ｒ１’は、後続車両Ｖ２を含むことができる。同様に、仮想視点位置Ｐ２’においても、傾ける角度の大きさは、仮想視点位置Ｐ２’から延伸する接線Ｌ２がカーブ内側の車道外側線に接するような大きさに設定することができる。これにより、仮想視点位置Ｐ２’の視野範囲Ｒ２’は、仮想視点位置Ｐ２’の視野範囲Ｒ２と比較して、後続車両Ｖ２を含みやすくなる。
【００６６】
次に、図８を参照して、第２実施形態の他の動作例を説明する。
【００６７】
図８に示す走行シーンは、カーブを有する２車線道路において左車線（内側車線）を走行している自車両が、右車線（外側車線）に車線変更するシーンである。この場合、仮想視点位置Ｐ１’の視野範囲Ｒ１には後続車両Ｖ２が含まれるため、仮想視点位置を変更しなくてもよい。同様に、仮想視点位置Ｐ２’の視野範囲Ｒ２及び仮想視点位置Ｐ３’の視野範囲Ｒ３にも後続車両Ｖ２が含まれるため、仮想視点位置を変更しなくてもよい。そのため、視点切替部３５は、カーブにおいて内側車線から外側車線に車線変更する場合には、仮想視点位置を自車固定のままとする。なお、カーブにおいて内側車線から外側車線に車線変更するか否かの判断については、カーブ旋回方向と逆方向に舵角の変化量が増えた場合、視点切替部３５は、内側車線から外側車線に車線変更すると判断することができる。
【００６８】
次に、図９に示すフローチャートを参照して、第２実施形態に係る表示支援装置１の一動作例について説明する。ただし、ステップＳ２０１〜ステップＳ２０３、ステップＳ２０５の動作はそれぞれ、図５のステップＳ１０１〜１０３、ステップＳ１０５の動作と同じであるため詳細な説明を省略する。
【００６９】
ステップＳ２０４において、コントローラ３０は、フロントカメラ１０などの画像やナビゲーション装置１４から走行環境を取得する。具体的に、コントローラ３０は、自車両が走行する道路が直線かカーブかを判断したり、また後続車両や先行車両の有無などを取得する。ここで、第２実施形態では、自車両が走行する道路はカーブであると判断されたものとして説明する。
【００７０】
ステップＳ２０６において、視点切替部３５は、固定舵角に対し舵角がカーブ旋回方向に変化したか否かを判断する。舵角がカーブ旋回方向に変化した場合（ステップＳ２０６でＹｅｓ）、処理がステップＳ２０７に進む。一方、舵角がカーブ旋回方向とは逆方向に変化した（ステップＳ２０６でＮｏ）、処理がステップＳ２１０に進む。
【００７１】
ステップＳ２０７において、視点切替部３５は、固定舵角に対する舵角の変化量が閾値より大きいか否かを判断する。舵角の変化量が閾値より大きい場合（ステップＳ２０７でＹｅｓ）、処理がステップＳ２０８に進む。一方、舵角の変化量が閾値以下の場合（ステップＳ２０７でＮｏ）、処理がステップＳ２０５に戻る。
【００７２】
ステップＳ２０８において、視点切替部３５は、仮想視点位置をカーブ内側に１車線幅分だけ移動させる、または仮想視点の視野角をカーブ内側に傾ける。
【００７３】
ステップＳ２０９において、視点切替部３５は、自車両が車線を跨いだか否かを判断する。自車両が車線を跨いだ場合（ステップＳ２０９でＹｅｓ）、視点切替部３５は、仮想視点位置のオフセットを解除する。一方、自車両が車線を跨いでいない場合（ステップＳ２０９でＮｏ）、処理は待機する。
【００７４】
ステップＳ２１０において、視点切替部３５は、仮想視点位置を自車固定のままとする。
【００７５】
以上説明したように、第２実施形態に係る表示支援装置１によれば、以下の作用効果が得られる。
【００７６】
表示支援装置１は、自車両がカーブを走行中にカーブの外側車線からカーブの内側車線に車線変更する場合、仮想視点位置をカーブ内側に１車線幅分だけ移動させる、または仮想視点の視野角をカーブ内側に傾ける。これにより、仮想視点から見下ろす俯瞰画像は、自車後方を広い範囲で含むことができる。これにより、車線変更先の車線に後続車両が存在している場合、運転者は後続車両の存在をディスプレイ５０上でいち早く知ることができ、合流や車線変更を行いやすくなる。
【００７７】
また、仮想視点位置をカーブ内側に移動させることにより、仮想視点位置は道路の中心に近づくことになる。これにより、仮想視点位置が自車両の中心軸上に存在する場合と比較して、ディスプレイ５０内に表示される自車周辺の風景の揺れは小さくなる。すなわち、表示支援装置１は、仮想視点位置をカーブ内側に移動させることにより、ディスプレイ５０内に表示される自車周辺の風景の揺れを抑制でき、映像酔いを低減することができる。
【００７８】
なお、第２実施形態においても第１実施形態と同様にウィンカースイッチ１７の信号が入力された場合に、舵角に基づく仮想視点位置の変更処理を開始するようにしてもよい。これにより、運転者のハンドルの誤動作によって仮想視点位置が変更されるといった事態を防止することができる。
【００７９】
また、ナビゲーション装置１４の地図データベースに格納されているカーブのＲ値を用いて仮想視点位置を変更してもよい。例えば、カーブが進むにつれてカーブのＲ値が小さい場合、カーブはきつくなる。このような場合、運転者はカーブ旋回方向にハンドルを切り増しすることになるが、この切り増しはカーブに対応するものであり、車線変更をする意図ではないと判断できる。そこで、視点切替部３５は、カーブのＲ値と舵角とを比較し、比較結果に応じて仮想視点位置を変更することができる。例えば、カーブのＲ値と舵角が同じ場合、運転者は道なりに進むと判断できるため、視点切替部３５は仮想視点位置を自車固定のままとする。一方、舵角がカーブのＲ値より小さい場合、運転者はカーブの外側車線からカーブの内側車線に車線変更すると判断できるため、視点切替部３５は仮想視点位置をカーブ内側に１車線幅分だけ移動させる、または仮想視点の視野角をカーブ内側に傾ける。また、舵角がカーブのＲ値より大きい場合、運転者はカーブの内側車線からカーブの外側車線に車線変更すると判断できるため、視点切替部３５は仮想視点位置を自車固定のままとする。これにより、表示支援装置１は、運転者の操舵に応じて、運転者が注力すべき周辺状況をディスプレイ５０に表示することができる。
【００８０】
［第３実施形態］
次に、図１０〜図１３を参照して、本発明の第３実施形態について説明する。第３実施形態が、第１実施形態と異なる点は、図１０に示すように表示支援装置２がレーザレンジファインダー１８を備えることである。第１実施形態と重複する構成については符号を引用してその説明は省略することとし、以下、相違点を中心に説明する。
【００８１】
レーザレンジファインダー１８（周辺検出手段）は、自車両の周辺環境を検出する装置であり、自車両の周辺（例えば３０ｍ以内）に存在する障害物（歩行者、自転車、二輪車、他車両など）を検出する。より詳しくは、レーザレンジファインダー１８は、レーザ光をある角度範囲内で走査し、その時の反射光を受光して、レーザ発射時点と反射光の受光時点との時間差を検出することにより、自車両と障害物との距離や角度などを検出する。レーザレンジファインダー１８は、検出した情報をコントローラ３０に出力する。
【００８２】
次に、図１１（ａ）、（ｂ）を参照して、視点切替部３５が変更する仮想視点位置について説明する。
【００８３】
図１１（ａ）に示すＳは狭路を示す。狭路Ｓとは、電柱Ｍや駐車車両Ｖ３などの障害物の存在によって通常の道幅より狭くなっている道路のことをいう。狭路Ｓについては、レーザレンジファインダー１８が検出する。
【００８４】
図１１（ａ）に示すように、自車両の前方２０ｍ先に狭路Ｓが存在し、かつ自車両が自車位置Ｐ１で狭路Ｓの中心と正対する場合、仮想視点位置Ｐ１’から見下ろす俯瞰画像の中心と狭路Ｓの中心が重なる。これにより、ディスプレイ５０の中心に狭路Ｓが表示されるため、運転者はいち早くディスプレイ５０上で狭路Ｓの存在に気づくことができる。
【００８５】
一方、図１１（ｂ）に示すように、自車両の前方２０ｍ先に狭路Ｓが存在し、かつ自車両が自車位置Ｐ１で狭路Ｓの中心と正対していない場合、仮想視点位置Ｐ１’から見下ろす俯瞰画像の中心と狭路Ｓの中心がずれることになる。この場合、ディスプレイ５０の中心に狭路Ｓが表示されないため、運転者が狭路Ｓの存在を見落とす場合が考えられる。
【００８６】
そこで、自車両が狭路Ｓの中心に正対していない場合、視点切替部３５は、図１１（ｂ）に示すように仮想視点位置を仮想視点位置Ｐ１’から仮想視点位置Ｐ１”に変更する。すなわち、視点切替部３５は、仮想視点位置を自車固定から地面固定に変更し、仮想視点位置が狭路Ｓの中心に正対する位置になるように変更する。これにより、仮想視点位置Ｐ１”から見下ろす俯瞰画像の中心と狭路Ｓの中心が重なることになる。これにより、図１２に示すように、自車両Ｖ１が狭路Ｓの中心に正対していない場合でもディスプレイ５０の中心に狭路Ｓが表示されるため、運転者はいち早くディスプレイ５０上で狭路Ｓの存在に気づくことができる。
【００８７】
次に、図１３に示すフローチャートを参照して、第３実施形態に係る表示支援装置２の一動作例について説明する。ただし、ステップＳ３０１〜ステップＳ３０３の動作はそれぞれ、図５のステップＳ１０２〜１０４の動作と同じであるため詳細な説明を省略する。
【００８８】
ステップＳ３０４において、コントローラ３０は、自車前方に狭路Ｓが存在するか否かをレーザレンジファインダー１８の出力から判断する。狭路Ｓが存在する場合（ステップＳ３０４でＹｅｓ）、処理がステップＳ３０５に進む。一方、狭路Ｓが存在しない場合（ステップＳ３０４でＮｏ）、処理は待機する。
【００８９】
ステップＳ３０５において、コントローラ３０は、レーザレンジファインダー１８の出力から狭路Ｓまでの距離を検出する。
【００９０】
ステップＳ３０６において、コントローラ３０は、狭路Ｓまでの距離が所定値以下か否かを判断する。所定値とは、例えば２０ｍである。狭路Ｓまでの距離が所定値以下の場合（ステップＳ３０６でＹｅｓ）、処理がステップＳ３０７に進む。一方、狭路Ｓまでの距離が所定値より大きい場合（ステップＳ３０７でＮｏ）、処理は待機する。なお、狭路Ｓまでの距離が所定値以下か否かを判断する理由は、所定値より離れた距離に狭路Ｓが存在する場合、運転者に狭路Ｓの存在を通知するのはまだ早いからである。
【００９１】
ステップＳ３０７において、コントローラ３０は、仮想視点位置が狭路Ｓの中心に正対しているか否かを判断する。仮想視点位置が狭路Ｓの中心に正対していない場合（ステップＳ３０７でＮｏ）、処理がステップＳ３０８に進む。一方、仮想視点位置が狭路Ｓの中心に正対している場合（ステップＳ３０７でＹｅｓ）、処理がステップＳ３０９に進む。
【００９２】
ステップＳ３０８において、視点切替部３５は、仮想視点位置が狭路Ｓの中心に正対するように変更する。
【００９３】
ステップＳ３０９において、視点切替部３５は、仮想視点位置を自車固定のままとする。
【００９４】
以上説明したように、第３実施形態に係る表示支援装置２によれば、以下の作用効果が得られる。
【００９５】
表示支援装置２は、狭路Ｓを検出した場合、仮想視点位置が狭路Ｓの中心に正対しているか否かを判断する。そして、表示支援装置２は、仮想視点位置が狭路Ｓの中心に正対していない場合、仮想視点位置が狭路Ｓの中心に正対するように仮想視点位置を変更する。一方、表示支援装置２は、仮想視点位置が狭路Ｓの中心に正対している場合、仮想視点位置を自車固定のままとする。これにより、ディスプレイ５０の中心に狭路Ｓが表示されるため、運転者はいち早くディスプレイ５０上で狭路Ｓの存在に気づくことができる。
【００９６】
なお、第１実施形態及び第２実施形態では、舵角に基づいて仮想視点位置を変更したが、第３実施形態においても、舵角を用いて仮想視点位置を変更してもよい。例えば、自車両の前方に狭路Ｓが存在する場合、運転者は車線を変更して狭路Ｓを避けるか、あるいはハンドルを微調整して狭路Ｓを通り抜けることが考えられる。そこで、表示支援装置２は、舵角の変化を無視する不感帯を設定し、舵角が不感帯内か否かを判断することができる。舵角が不感帯内であれば、運転者はハンドルを微調整して狭路Ｓを通り抜けると考えられるため、表示支援装置２は、仮想視点位置を狭路Ｓの中心に正対させる。一方、舵角が不感帯を超える場合、運転者は車線を変更して狭路Ｓを避けると考えられるため、表示支援装置２は、仮想視点位置を自車線から車線変更先の車線上または自車線と車線変更先の車線との車線境界線上に仮想視点位置を変更する。これにより、表示支援装置２は、運転者の操舵に応じて、運転者が注力すべき周辺状況をディスプレイ５０に表示することができる。なお、不感帯については、実験やシミュレーションを通じて求めることができる。
【００９７】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【００９８】
例えば、図１４（ａ）に示すように、自車両が中央車線から右車線に車線変更しようとする際に、ディスプレイ５０に表示される自車両Ｖ１（自車アイコン）に対し、自車両Ｖ１の上端を示す上端線Ｌ３と、自車両Ｖ１の下端を示す下端線Ｌ４を自車線から延長して車線変更先の右車線に重畳してもよい。これにより、運転者は、ディスプレイ５０上で自車両の位置を把握しやすくなる。また、右車線に後続車両が存在する場合、運転者は後続車両との車間距離が把握しやすくなる。なお、合成部３６は、上端線Ｌ３と下端線Ｌ４を車線変更先の右車線にのみ重畳するようにしてもよい。
【００９９】
また、図１４（ｂ）に示すように、自車両Ｖ１を透視可能な透明性を有するアイコンとしてディスプレイ５０に表示してもよい。これにより、運転者は先行車両Ｖ４及び後続車両Ｖ２と自車両Ｖ１を区別しやすくなり、自車両Ｖ１の周辺状況を把握しやすくなる。
【０１００】
また、図１４（ｃ）に示すように、自車両Ｖ１をディスプレイ５０の中央より上に表示するように加工してもよい。これにより、運転者は、後続車両の存在を確認しやすくなる。
【０１０１】
本発明では舵角に基づいて仮想視点位置を変更したが、これに限定されない。例えば、ヨーレートセンサを用い、検出したヨーレートに基づいて仮想視点位置を変更してもよい。
【０１０２】
また、本発明は、自動運転車両に適用することができる。
【０１０３】
特願２０１５−１９９９１８号（出願日：２０１５年１０月８日）の全内容は、ここに援用される。
【符号の説明】
【０１０４】
１０  フロントカメラ
１１  ライトカメラ
１２  レフトカメラ
１３  リアカメラ
１４  ナビゲーション装置
１５  舵角センサ
１６  車速センサ
１７  ウィンカースイッチ
１８  レーザレンジファインダー
３０  コントローラ
３１  車線検出部
３２  仮想視点位置演算部
３３  視点変換部
３４  記憶部
３５  視点切替部
３６  合成部
５０  ディスプレイ
【図１】
2017061230.tif 000003
【図２】
2017061230.tif 000004
【図３】
2017061230.tif 000005
【図４】
2017061230.tif 000006
【図５】
2017061230.tif 000007
【図６】
2017061230.tif 000008
【図７】
2017061230.tif 000009
【図８】
2017061230.tif 000010
【図９】
2017061230.tif 000011
【図１０】
2017061230.tif 000012
【図１１】
2017061230.tif 000013
【図１２】
2017061230.tif 000014
【図１３】
2017061230.tif 000015
【図１４】
2017061230.tif 000016
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
車両に設置された複数の撮影手段で撮影された画像を上空の仮想視点から見下ろした俯瞰画像に変換し、前記俯瞰画像に前記車両の位置を示す自車アイコンを重畳して表示手段に表示する表示支援装置において、
前記車両が走行している走行車線から隣接する隣接車線に車線変更するか否かを判定し、前記車線変更すると判定した場合に、前記仮想視点の位置を変更する変更手段を備え、
前記変更手段は、前記車両がカーブを走行中に前記カーブの外側車線から前記カーブの内側車線に車線変更する場合、前記仮想視点の位置をカーブ内側に移動させる、または前記仮想視点の視野角を前記カーブ内側に傾け、
前記変更手段は、前記車両が前記カーブを走行中に前記カーブの内側車線から前記カーブの外側車線に車線変更する場合、前記仮想視点の位置を前記カーブ内側に移動させる、または前記仮想視点の視野角を前記カーブの外側に傾けることを特徴とする表示支援装置。
【請求項２】
車両に設置された複数の撮影手段で撮影された画像を上空の仮想視点から見下ろした俯瞰画像に変換し、前記俯瞰画像に前記車両の位置を示す自車アイコンを重畳して表示手段に表示する表示支援装置において、
前記車両が走行している走行車線から隣接する隣接車線に車線変更するか否かを判定し、前記車線変更すると判定した場合に、前記仮想視点の位置を変更する変更手段と、
前記車両の周辺環境を検出する周辺検出手段とを備え、
前記変更手段は、前記周辺検出手段によって前記車両の前方に狭路が検出された場合、前記仮想視点が前記狭路の中心に正対するように前記仮想視点の位置を変更することを特徴とする表示支援装置。
【請求項３】
車両に設置された複数の撮影手段で撮影された画像を上空の仮想視点から見下ろした俯瞰画像に変換し、前記俯瞰画像に前記車両の位置を示す自車アイコンを重畳して表示手段に表示する表示支援装置において、
前記車両が走行している走行車線から隣接する隣接車線に車線変更するか否かを判定し、前記車線変更すると判定した場合に、前記仮想視点の位置を変更する変更手段を備え、
前記変更手段は、前記仮想視点の位置が自車線からはみ出た場合に、前記仮想視点の位置を変更することを特徴とする表示支援装置。
【請求項４】
前記変更手段は、前記車両が走行している走行車線から隣接する隣接車線に車線変更する場合、前記仮想視点の位置を前記隣接車線側に変更することを特徴とする請求項３に記載の表示支援装置。
【請求項５】
前記変更手段は、前記車両が走行している走行車線から隣接する隣接車線に車線変更する場合、前記仮想視点の位置を隣接車線上または前記走行車線と前記隣接車線との境界線上に変更することを特徴とする請求項３または４に記載の表示支援装置。
【請求項６】
前記俯瞰画像を加工する加工手段をさらに備え、
前記加工手段は、前記自車アイコンの上端を示す上端線と、前記自車アイコンの下端を示す下端線を前記隣接車線に重畳することを特徴とする請求項４または５に記載の表示支援装置。
【請求項７】
前記加工手段は、前記自車アイコンを透視可能な透明性を有するアイコンとして重畳することを特徴とする請求項６に記載の表示支援装置。
【請求項８】
前記加工手段は、前記自車アイコンを前記俯瞰画像の中央より上に重畳することを特徴とする請求項６または７に記載の表示支援装置。
【請求項９】
前記変更手段は、前記車両が車線変更した後、所定時間経過後に前記仮想視点の位置を車線変更後の車線上に変更することを特徴とする請求項３に記載の表示支援装置。
【請求項１０】
車両に設置された複数の撮影手段で撮影された画像を上空の仮想視点から見下ろした俯瞰画像に変換し、前記俯瞰画像に前記車両の位置を示す自車アイコンを重畳して表示手段に表示する表示支援方法において、
前記車両が走行している走行車線から隣接する隣接車線に車線変更するか否かを判定する第１ステップと、
前記車線変更すると判定した場合に、前記仮想視点の位置を変更する第２ステップとを備え、
前記第２ステップにおいて、前記仮想視点の位置が自車線からはみ出た場合に、前記仮想視点の位置を変更することを特徴とする表示支援方法。
【手続補正書】
【提出日】平成30年5月17日(2018.5.17)
【手続補正１】
【補正対象書類名】明細書
【補正対象項目名】００９０
【補正方法】変更
【補正の内容】
【００９０】
ステップＳ３０６において、コントローラ３０は、狭路Ｓまでの距離が所定値以下か否かを判断する。所定値とは、例えば２０ｍである。狭路Ｓまでの距離が所定値以下の場合（ステップＳ３０６でＹｅｓ）、処理がステップＳ３０７に進む。一方、狭路Ｓまでの距離が所定値より大きい場合（ステップＳ３０６でＮｏ）、処理は待機する。なお、狭路Ｓまでの距離が所定値以下か否かを判断する理由は、所定値より離れた距離に狭路Ｓが存在する場合、運転者に狭路Ｓの存在を通知するのはまだ早いからである。
【国際調査報告】
2017061230.tif 000017
2017061230.tif 000018
2017061230.tif 000019
2017061230.tif 000020